【手続補正書】
【提出日】平成29年6月21日(2017.6.21)
【手続補正１】
【補正対象書類名】特許請求の範囲
【補正対象項目名】全文
【補正方法】変更
【補正の内容】
【特許請求の範囲】
【請求項１】
投入された印刷ジョブを選択して印刷する画像形成装置であって、
選択されている印刷ジョブの印刷設定より印刷コストを軽減できる印刷設定を動的に判断する判断手段と、
前記判断手段により印刷コストを軽減できると判断された印刷設定を前記選択されている印刷ジョブに適用するための設定手段を提供する提供手段と、
前記設定手段が指示された場合に、該設定手段に対応する印刷設定に、前記印刷ジョブの印刷設定を変更する変更手段と、
を有することを特徴とする画像形成装置。
【請求項２】
前記設定手段は、該設定手段に対応する印刷設定の内容を明示したボタンであり、前記画像形成装置の操作部に表示されることを特徴とする請求項１に記載の画像形成装置。
【請求項３】
前記変更手段により印刷設定が変更された場合、
前記判断手段は、該変更された印刷設定よりさらに印刷コストを軽減できる印刷設定を動的に判断し、
前記提供手段は、前記判断手段によりさらに印刷コストを軽減できると判断された印刷設定を適用するための設定手段をさらに提供する、
ことを特徴とする請求項１又は２に記載の画像形成装置。
【請求項４】
前記判断手段は、複数の印刷ジョブが同時に選択された場合、該選択された複数の印刷ジョブの印刷設定を比較して最も印刷コストの低い印刷設定を判断し、該判断した印刷設定より印刷コストを軽減できる印刷設定を動的に判断することを特徴とする請求項１乃至３のいずれか１項に記載の画像形成装置。
【請求項５】
前記印刷設定は、複数の種別の印刷設定を含み、
前記判断手段は、前記印刷設定の種別ごとに、印刷コストを軽減できる印刷設定を判断し、
前記提供手段は、前記印刷設定の種別ごとに前記設定手段を提供することを特徴とする請求項１乃至４のいずれか１項に記載の画像形成装置。
【請求項６】
前記提供手段は、前記印刷設定の種別ごとに提供される複数の設定手段で設定変更が可能な複数の種別の印刷設定をまとめて適用するための他の設定手段を提供することを特徴とする請求項５に記載の画像形成装置。
【請求項７】
前記印刷設定の種別は、片面印刷するか両面印刷するかの設定、白黒印刷するかカラー印刷するかの設定、印刷面に面付けするページ数の設定のいずれか、または任意の組み合わせを含むことを特徴とする請求項５又は６に記載の画像形成装置。
【請求項８】
前記印刷ジョブは、情報処理装置から投入される印刷ジョブ、又は、前記画像形成装置の読取手段から投入される印刷ジョブであることを特徴とする請求項１乃至請求項７のいずれか１項に記載の画像形成装置。
【請求項９】
前記画像形成装置は、投入される印刷ジョブを一旦、記憶手段に留め置くことを特徴とする請求項１乃至請求項８のいずれか１項に記載の画像形成装置。
【請求項１０】
投入された印刷ジョブを選択して印刷する画像形成装置の制御方法であって、
選択されている印刷ジョブの印刷設定より印刷コストを軽減できる印刷設定を動的に判断する判断ステップと、
前記判断ステップにより印刷コストを軽減できると判断された印刷設定を前記選択されている印刷ジョブに適用するための設定手段を提供する提供ステップと、
前記設定手段が指示された場合に、該設定手段に対応する印刷設定に、前記印刷ジョブの印刷設定を変更する変更ステップと、
を有することを特徴とする画像形成装置の制御方法。
【請求項１１】
画像形成装置であって、
印刷設定が紐づけられている印刷ジョブを格納可能な記憶手段と、
前記記憶手段に格納された印刷ジョブのリストを表示可能な表示手段と、
前記表示手段に表示された印刷ジョブのリストから、ユーザの指示に基づき印刷ジョブを選択する制御手段と、を有し、
前記制御手段は、前記選択された印刷ジョブに紐付けられている印刷設定がカラー印刷を示す印刷設定の場合、前記印刷ジョブの選択に応じて、白黒印刷を指定可能な設定画面を前記表示手段に表示させ、前記選択された印刷ジョブに紐付けられている印刷設定が白黒印刷を示す印刷設定の場合、前記印刷ジョブの選択に応じて、白黒印刷とカラー印刷を指定可能な設定画面を前記リストとともに表示しない
ことを特徴とする画像形成装置。
【請求項１２】
前記印刷ジョブは、ネットワークを介して情報処理装置から入力されるか、又は画像形成装置の読み取り装置から入力されることを特徴とする請求項１１に記載の画像形成装置。
【請求項１３】
記憶手段と表示手段を備える画像形成装置の制御方法であって、
印刷設定が紐づけられている印刷ジョブを前記記憶手段に記憶する記憶工程と、
前記記憶工程で記憶された印刷ジョブのリストを、表示手段に表示する表示工程と、
前記表示工程で表示された印刷ジョブのリストから、ユーザの指示に基づき印刷ジョブを選択する制御工程と、を有し、
前記制御工程は、選択された印刷ジョブに紐付けられている印刷設定がカラー印刷を示す印刷設定の場合、前記印刷ジョブの選択に応じて、白黒印刷を指定可能な設定画面を前記表示手段に表示し、
前記選択された印刷ジョブに紐付けられている印刷設定が白黒印刷を示す印刷設定の場合、前記印刷ジョブの選択に応じて、白黒印刷とカラー印刷を指定可能な設定画面を前記リストとともに表示しないよう制御する
ことを特徴とする画像形成装置の制御方法。
【請求項１４】
複数の印刷ジョブを記憶する記憶装置を備えた画像形成装置の制御方法に係るコンピュータ実行可能な命令を記憶したコンピュータで読み取り可能な記憶媒体であって、
前記画像形成装置の制御方法は、
前記記憶装置に複数の印刷ジョブを記憶する記憶ステップと、
前記記憶装置に記憶された複数の印刷ジョブの中から所望の印刷ジョブが選択されたことに応じて、前記選択された印刷ジョブの印刷設定を取得する取得ステップと、
前記取得された印刷設定の印刷コストよりも印刷コストを低減する印刷コスト低減印刷設定が、前記複数の印刷設定に存在するか否かを判定する判定ステップと、
前記判定ステップにおいて、前記印刷コスト低減印刷設定が存在すると判定された場合に、前記選択された印刷ジョブに対する前記印刷コスト低減印刷設定を表示する表示ステップと、
を有することを特徴とする画像形成装置の制御方法に係るコンピュータ実行可能な命令を記憶した記憶媒体。
【請求項１５】
画像形成装置であって、
印刷設定が紐づけられている印刷ジョブを記憶可能な記憶手段と、
前記記憶手段に記憶された印刷ジョブのリストを表示可能な表示手段と、
前記表示手段に表示された印刷ジョブのリストから、ユーザの指示に基づき印刷ジョブを選択する制御手段と、を有し、
前記制御手段は、前記選択された印刷ジョブに紐付けられている印刷設定が片面印刷を示す印刷設定の場合、前記印刷ジョブの選択に応じて、両面印刷を指定可能な設定画面を前記表示手段に表示させ、前記選択された印刷ジョブに紐付けられている印刷設定が両面印刷を示す印刷設定の場合、前記印刷ジョブの選択に応じて、片面印刷と両面印刷を指定可能な設定画面を前記リストとともに表示しないことを特徴とする画像形成装置。
【請求項１６】
画像形成装置であって、
印刷設定が紐づけられている印刷ジョブを記憶可能な記憶手段と
前記記憶手段に記憶された印刷ジョブのリストを表示可能な表示手段と、
前記表示手段に表示された印刷ジョブのリストから、ユーザの指示に基づき印刷ジョブを選択する制御手段を有し、
前記制御手段は、前記選択された印刷ジョブに紐付けられている印刷設定が１ｉｎ１印刷を示す印刷設定の場合、前記印刷ジョブの選択に応じて、２ｉｎ１印刷を指定可能な設定画面を表示手段に表示し、前記選択された印刷ジョブに紐付けられている印刷設定が２ｉｎ１印刷を示す印刷設定の場合、前記印刷ジョブの選択に応じて、１ｉｎ１印刷と２ｉｎ１印刷を指定可能な設定画面を前記リストとともに表示しないことを特徴とする画像形成装置。
【請求項１７】
前記制御手段は、前記設定画面を介して２ｉｎ１印刷が指定されたことに応じて、４ｉｎ１印刷を指定可能な設定画面を表示手段に表示することを特徴とする請求項１６に記載の画像形成装置。
【請求項１８】
記憶手段と表示手段を備える画像形成装置の制御方法であって、
印刷設定が紐づけられている印刷ジョブを前記記憶手段に格納する記憶工程と、
前記記憶手段に格納された印刷ジョブのリストを、前記表示手段に表示する表示工程と、
前記表示手段に表示された印刷ジョブのリストから、ユーザの指示に基づき印刷ジョブを選択する制御工程と、を有し、
前記制御工程は、選択された印刷ジョブに紐付けられている印刷設定が片面印刷を示す印刷設定の場合、前記印刷ジョブの選択に応じて、両面印刷を指定可能な設定画面を表示手段に表示し、前記選択された印刷ジョブに紐付けられている印刷設定が両面印刷を示す印刷設定の場合、前記印刷ジョブの選択に応じて、片面印刷と両面印刷を指定可能な設定画面を前記リストとともに表示しないことを特徴とする画像形成装置の制御方法。
【請求項１９】
記憶手段と表示手段を備える画像形成装置の制御方法であって、
印刷設定が紐づけられている印刷ジョブを記憶手段に格納する記憶工程と、
前記記憶手段に格納された印刷ジョブのリストを、表示手段に表示する表示工程と、
前記表示手段に表示された印刷ジョブのリストから、ユーザの指示に基づき印刷ジョブを選択する制御工程と、を有し、
前記制御工程は、選択された印刷ジョブに紐付けられている印刷設定が１ｉｎ１印刷を示す印刷設定の場合、前記印刷ジョブの選択に応じて、２ｉｎ１印刷を指定可能な設定画面を前記表示手段に表示し、前記選択された印刷ジョブに紐付けられている印刷設定が２ｉｎ１印刷を示す印刷設定の場合、前記印刷ジョブの選択に応じて、１ｉｎ１印刷と２ｉｎ１印刷を指定可能な設定画面を前記リストとともに表示しないことを特徴とする画像形成装置の制御方法。
【請求項２０】
コンピュータを、請求項１〜９、１１〜１２、１５〜１７のいずれか１項に記載された手段として機能させるためのプログラム。
【手続補正２】
【補正対象書類名】明細書
【補正対象項目名】０００９
【補正方法】変更
【補正の内容】
【０００９】
本発明は、投入された印刷ジョブを選択して印刷する画像形成装置であって、選択されている印刷ジョブの印刷設定より印刷コストを軽減できる印刷設定を動的に判断する判断手段と、前記判断手段により印刷コストを軽減できると判断された印刷設定を前記選択されている印刷ジョブに適用するための設定手段を提供する提供手段と、前記設定手段が指示された場合に、該設定手段に対応する印刷設定に、前記印刷ジョブの印刷設定を変更する変更手段と、を有することを特徴とする。
【手続補正３】
【補正対象書類名】明細書
【補正対象項目名】発明の名称
【補正方法】変更
【補正の内容】
【発明の名称】画像形成装置、画像形成装置の制御方法及びコンピュータ実行可能な命令を記憶した記憶媒体に関するものである。
【手続補正４】
【補正対象書類名】明細書
【補正対象項目名】０００１
【補正方法】変更
【補正の内容】
【０００１】
本発明は、画像形成装置、画像形成装置の制御方法及びコンピュータ実行可能な命令を記憶した記憶媒体